(57)【要約】      （修正有）【課題】視覚的な楽しみや遊戯的要素があり、高齢者や認知症患者の脳の活性化、手指の機能向上あるいは認知症の改善などに対し、対象に合わせた機能又は難易度を有する嵌合せ玩具を提供する。【解決手段】方向が交差する木目を有する基板１１と、嵌め込み木板１２が積層されてなる嵌め合せ玩具１０であって、嵌め込み木板は、散在し、相互に接触しない模様から切り出された複数の小片１５とそれらの小片がはめ込まれる枠板１３からなり、基板は、小片を嵌め込み木板から押し出す抜き穴１８を有してなる。【選択図】図１
0003229612.tif 000002
【実用新案登録請求の範囲】
【請求項１】
方向が交差する木目を有する基板と、嵌め込み木板が積層されてなる嵌め合せ玩具であ
って、
前記嵌め込み木板は、散在し、相互に接触しない模様から切り出された複数の小片とそ
れらの小片がはめ込まれる枠板からなり、
前記基板は、前記小片を前記嵌め込み木板から押し出す抜き穴を有する嵌め合せ玩具。
【考案の詳細な説明】
【技術分野】
【０００１】
本考案は、木板に描かれた模様を切り出してなる複数の木片を、もとの位置に嵌め合わ
せて描かれた模様を完成させる嵌め合せ玩具に関する。
【背景技術】
【０００２】
小片を組み合わせ又は嵌め合わせて所定の形状に仕上げる組み合せ又は嵌め合せ玩具は
、ジグソーパズルをはじめ、種々のものが考案されている。かかる玩具は、娯楽や知育・
学習補助のみならず、高齢者あるいは認知症患者に対する補助器具としても注目されてい
る。
【０００３】
例えば、特許文献１に、円筒形または多角形の断面を持つ円柱状または多角柱状の複数
個のペグと該複数個のペグが滑合して嵌る穴で該ペグと同数または同数以上の複数個の穴
を形成したボード盤とからなる組み合わせ玩具において、複数個の夫々のペグの上面と底
面には、１または所定の数字から始まる複数の数字による識別記号を形成しグループ化し
た同じ数字の識別記号の表示を形成し、上面と底面では夫々に統一した特定の色や記号を
付した数字による該識別記号が同様に表示され、夫々のペグの底面には、上面の数字によ
る該識別記号の表示と異なりランダムに別な数字の該識別記号に統一した別な色や記号を
付して表示したことを特徴とする複数のペグとボード盤とで構成した玩具が提案されてい
る。この玩具は、障害が起きた指先の動作機能障害の回復と脳の働きを向上させることが
でき、高齢者の脳の活性化や認知症の改善・進行の抑制の働きが期待できる。また、幼児
や学童の数学習訓練に利用することができるとされる。
【０００４】
特許文献２に、絵柄が印刷された厚手の紙等であって上記絵柄の少なくとも一部が打ち
抜かれたものが、他の紙等に貼り合わされて構成された基板部と、上記絵柄の打ち抜き部
分により形成された凹部に充填して彩色するための色粘土とが組み合わされた色粘土ぬり
え玩具が提案されている。この色粘土ぬりえ玩具は、打ち抜かれた絵柄の一部が凹部を形
成すると共に、打ち抜かれない絵柄部分が逆に凸部を形成することになるので、上記凹部
に色粘土を充填すれば、絵柄の凹部輪郭内に彩色が施され、ぬりえとして遊ぶことができ
るとされる。
【０００５】
特許文献３には、マグネットを有する多数個のコマを、磁着シートに貼り付け磁着し配
置組み合わせることで、いろいろな図や絵等を形成して遊ぶことができるマグネット貼り
絵玩具にあって、前記コマの基本形状を直角二等辺三角形とすると共に、直角二等辺三角
形の長さが等しい２本の辺の長さを3cm〜5cmにするマグネット貼り絵玩具が提案されてい
る。このマグネット貼り絵玩具は、視野が狭くなり、手や指の動きが難しくなった高齢者
であっても、容易に図や絵等を形成することができるとされる。
【先行技術文献】
【特許文献】
【０００６】
【特許文献１】特開2018-86116号公報
【特許文献２】実開平6-78960号公報
【特許文献３】登録実用新案第3164828号公報
【考案の概要】
【考案が解決しようとする課題】
【０００７】
特許文献１に記載の玩具は、高齢者の脳を活性化し、認知症の改善・進行を抑制するこ
とが期待でき、また、幼児や学童の数学習訓練に利用することができるなどとされる。し
かしながら、この玩具は知的能力の向上には好ましいが視覚的な楽しみや遊戯的要素が少
ないという問題がある。一方、特許文献２に記載の色粘土ぬりえ玩具、特許文献３に記載
のマグネット貼り絵玩具は、視覚的に楽しむことができ遊戯的要素を有しているが、難易
度の異なる組合せ又は嵌め合せ玩具を作製するには適していないという問題がある。
【０００８】
本考案は、係る従来の問題点に鑑み、視覚的な楽しみや遊戯的要素があり、高齢者や認
知症患者の脳の活性化、手指の機能向上あるいは認知症の改善などに対し、対象に合わせ
た機能又は難易度を有する嵌め合せ玩具を提供することを目的とする。
【課題を解決するための手段】
【０００９】
本考案に係る嵌め合せ玩具は、方向が交差する木目を有する基板と、嵌め込み木板が積
層されてなる嵌め合せ玩具であって、前記嵌め込み木板は、散在し、相互に接触しない模
様から切り出された複数の小片とそれらの小片がはめ込まれる枠板からなり、前記基板は
、前記小片を前記嵌め込み木板から押し出す抜き穴を有してなる。
【００１０】
上記考案において、嵌め込み木板の模様は、回転対称であるのが好ましい。また、基板
の抜き穴は、回転対称であるのが好ましい。
【００１１】
また、嵌め込み木板の模様は、図形化した花模様とすることができる。
【００１２】
また、嵌め込み木板の小片は鋭角を有しないものであるのが好ましい。
【考案の効果】
【００１３】
本考案に係る嵌め合せ玩具は、高齢者又は認知症患者の脳の活性化、手指の機能向上あ
るいは認知症の改善などに資することができるとともに、遊戯的要素があり視覚的に楽し
みながら遊ぶことができる。また、嵌め込みにより所定の模様を完成させる過程のみなら
ず、模様の完成後は彩色を施し装飾品を作製するという楽しみかたができる。
【図面の簡単な説明】
【００１４】
【図１】本考案に係る嵌め合せ玩具の平面図である。
【図２】図１に示す嵌め合せ玩具から押し出した小片の説明図である。
【図３】小片が有する形状、模様の説明図である。
【図４】嵌め込み木板が有する花模様の各種例を示す図面である。
【考案を実施するための形態】
【００１５】
以下、考案を実施するための形態について、図面を基に説明する。本考案に係る嵌め合
せ玩具を図１に示す。本嵌め合せ玩具10は、図１に示すように、基板11と、嵌め込み木板
12を有しており、嵌め込み木板12の木目16と基板11の木目19が交差している。そして、嵌
め込み木板12は、散在し、相互に接触しない模様から切り出された複数の小片15とそれら
の小片がはめ込まれる枠板13からなる。基板11は、小片15を嵌め込み木板13から容易に押
し出すための抜き穴18を有する。
【００１６】
本嵌め合せ玩具10は、木板を利用することに特徴を有し、木板の木目を利用することに
特徴を有する。木目16は図２に示すように模様として楽しむことができ、また、その木目
16がなす模様は、嵌め込み木板12に描かれた小片15により形成される模様（本例の模様は
桔梗の花がデザイン化されている）との複合模様として楽しむことができる。また、嵌め
込み木板12の木目16は、上述のように、基板11の木目19と交差しており、嵌め合せ玩具10
の機械的強度を確保することができる。木目16と木目19の交差は、なるべく直角に近い組
み合わせになる木板が嵌め合せ玩具10の素材として選択される。かかる木板の素材は、間
伐材を利用することができる。檜木の間伐材を利用する場合は、木の香を楽しむことがで
きる。木板は、円板状であるのが好ましい。
【００１７】
本例の嵌め込み木板12には上述のようにデザイン化された桔梗の花模様が描かれており
、花模様は、散在し、相互に接触しない模様から形成されている。この花模様の基本構成
は、図３に示す２つの模様（151及び152）から構成されており、嵌め込み木板12の花模様
は回転対称になっている。この模様を切り出して、切り出し穴14にはめ込まれる複数の小
片15（151及び152）が作製される。小片15は、散在し、相互に接触しない模様から形成さ
れるので、小片を切り出した枠板13の機械的強度及び耐久性を確保することができる。小
片15の切り出しは、レーザ加工法によるのがよい。これにより、高い嵌め込み精度を有す
る小片15を成形することができ、小片15の外周が焼かれてその形状が明瞭になるので好ま
しい。小片15の作製には、ユニバーサルデザインとしての考慮がなされており、例えば小
片15の角部は丸くし取扱の安全性が確保されている。
【００１８】
図３に示すように、小片15（151及び152）は、嵌め込み木板12が有する木目16の一部分
から切り出したものであり、小片151と小片152が有するそれぞれの木目の形状は異なる。
本例の小片151と小片152の外形は同一であるが、小片151又は小片152の木目はそれぞれ表
裏で同一ではなく、わずかに異なっている。このため、小片151と小片152は、対で表裏を
誤ることなく枠体13の所定の位置にはめ込まなければならない。この桔梗の花模様は60°
の回転対称になっているので、小片151と小片152の組合せが６対有る。このため、６対の
各々について表裏を誤ることなく嵌め込み木板12の木目16に合わせて小片151と小片152を
枠体13にはめ込まなければならない。
【００１９】
小片15は枠板13に高い精度ではめ込まれているので、抜き出すのが必ずしも容易でない
。このため、基板11には、小片15を抜き出す抜き穴18を設けるのがよい。嵌め合せ玩具10
の利用対象者によって抜き穴18の大きさを異なるものとすることができる。例えば、初級
者は、抜き穴18の直径が15mm、中級者又は上級者は直径が5mmとすることができる。この
抜き穴18は、嵌め込み木板12の花模様に合わせて回転対称に設けるのがよい。これにより
、基板11と嵌め込み木板12のレーザ加工の自動化が容易になる。基板11と嵌め込み木板12
の加工後、両者を貼り合わせ、本嵌め合せ玩具10を成形することができる。
【００２０】
嵌め込み木板12に設ける花模様は、図４に示す花模様とすることができる。例えば、梅
、牡丹、蓮、桔梗、菊あるいは桜のデザイン化された花模様とすることができる。その対
象とする花と、回転対称の基本構成となる模様を構成する小片15の数及びその形状によっ
て、それぞれに花模様を楽しむことができ、また、初級者、中級者又は上級者用の難易度
の異なる嵌め合せ玩具10を作製することができる。そして、本嵌め合せ玩具10は、木目16
と花模様との組み合わせにより、さらに多様な嵌め合せ玩具10を作製することができる。
【００２１】
以上、本考案に係る嵌め合せ玩具について説明した。本嵌め合せ玩具は、檜木の間伐材
などから切り出した木板から製作することができる。これにより、従来廃棄されていた間
伐材の有効利用を図ることができ、商品の創成・地域活性化に資することができる。本嵌
め合せ玩具は、これに描かれる花模様の形状と木目を利用することにより、嵌め合せの難
易度のみならず視覚的に遊戯的要素のある多様な嵌め合せ玩具を作製することができる。
また、本嵌め合せ玩具は、高齢者又は認知症患者の脳の活性化、手指の機能向上に役立て
ることができる。特に檜木の香りがする嵌め合せ玩具は、高齢者又は認知症患者に好まれ
る。そして、完成した嵌め合せ玩具に彩色を施すことにより装飾品を作製するという楽し
み方ができ、次の装飾品を作製するために、新たな嵌め合せ玩具に挑戦しようとする意欲
を起こさせることができる。
【符号の説明】
【００２２】
10    嵌め合せ玩具
11    基板
12    嵌め込み木板
13    枠板
14    切り出し穴
15    小片
151、152小片
16    木目
18    抜き穴
19    木目
【図１】
0003229612.tif 000003
【図２】
0003229612.tif 000004
【図３】
0003229612.tif 000005
【図４】
0003229612.tif 000006